(57)【要約】【課題】定着装置の製造コストを低減するとともに、定着装置における消費電力を低減することができる。【解決手段】電力が供給されることで、１次側回路からヒータ２０４への電力供給を許容または遮断する第１スイッチ手段３０６と、電力が供給されることで、１次側回路から温度取得部３３０への電力供給を許容または遮断する第２スイッチ手段３９と、を有し、温度取得部３３０で取得されたヒータ２０４の温度に応じて、ヒータ２０４への電力供給を許容または遮断することが可能な定着装置１３０において、制御部５は、第１スイッチ手段３０６と第２スイッチ手段３９の動作を１つの信号によって制御することで、１次側回路からヒータ２０４への電力供給と、１次側回路から温度取得部３３０への電力供給とを遮断する。【選択図】図３
2018072421.tif 000002
【特許請求の範囲】
【請求項１】
１次側回路から受けた電力を変成して２次側回路に送る変圧器と、
前記１次側回路から電力が供給されることで発熱するためのヒータと、
前記１次側回路から電力が供給されることで作動し、前記ヒータから伝わった熱に基づいて前記ヒータの温度を取得する温度取得部と、
前記２次側回路から電力が供給されることで作動する制御部と、
電力が供給されることで、前記１次側回路から前記ヒータへの電力供給を許容または遮断する第１スイッチ手段と、
電力が供給されることで、前記１次側回路から前記温度取得部への電力供給を許容または遮断する第２スイッチ手段と、を有し、
前記温度取得部で取得された前記ヒータの温度に応じて、前記ヒータへの電力供給を許容または遮断することが可能な定着装置において、
前記制御部は、前記第１スイッチ手段と前記第２スイッチ手段の動作を１つの信号によって制御することで、前記１次側回路から前記ヒータへの電力供給と、前記１次側回路から前記温度取得部への電力供給とを遮断することを特徴とする定着装置。
【請求項２】
前記第１スイッチ手段および前記第２スイッチ手段への電力供給を許容または遮断するための第３スイッチ手段と、を有し、
前記制御部は、前記第３スイッチ手段の動作を１つの信号で制御することで、前記１次側回路から前記ヒータへの電力供給と、前記１次側回路から前記温度取得部への電力供給とを遮断することを特徴とする請求項１に記載の定着装置。
【請求項３】
前記第１スイッチ手段と前記第２スイッチ手段と第３スイッチ手段は直列に接続されていることを特徴とする請求項２に記載の定着装置。
【請求項４】
前記第３スイッチ手段はトランジスタであることを特徴とする請求項１から３のいずれか１項に記載の定着装置。
【請求項５】
前記第１スイッチ手段と前記第２スイッチ手段と前記第３スイッチ手段は、前記２次側回路から電力が供給されることで作動することを特徴とする請求項１から４のいずれか１項に記載の定着装置。
【請求項６】
前記温度取得部で取得された前記ヒータの温度に応じて、前記第１スイッチ手段の動作を制御するスイッチ手段制御部を有し、
前記制御部は、前記第１スイッチ手段と前記第２スイッチ手段の動作を１つの信号によって制御することで、前記１次側回路から前記ヒータへの電力供給と、前記１次側回路から前記温度取得部への電力供給とを遮断することを特徴とする請求項１に記載の定着装置。
【請求項７】
前記スイッチ手段制御部および前記第１スイッチ手段と前記第２スイッチ手段とは並列に接続されていることを特徴とする請求項６に記載の定着装置。
【請求項８】
前記温度取得部と前記制御部とを絶縁させた状態で、前記温度取得部が取得した前記ヒータの温度を前記制御部に伝達する伝達部を有することを特徴とする請求項１から７のいずれか１項に記載の定着装置。
【請求項９】
前記温度取得部は、前記ヒータから伝わった熱を信号に変えるセンサを有し、
前記伝達部は、前記センサの信号を、パルス幅を有するパルス信号に変換することを特徴とする請求項１から８のいずれか１項に記載の定着装置。
【請求項１０】
前記第１スイッチ手段はリレーであることを特徴とする請求項１から９のいずれか１項に記載の定着装置。
【請求項１１】
前記第２スイッチ手段はフォトカプラであることを特徴とする請求項１から１０のいずれか１項に記載の定着装置。
【請求項１２】
前記温度取得部は、前記ヒータから伝わった熱を信号に変えるセンサを有し、前記センサの信号に基づいて前記ヒータの温度を取得することを特徴とする請求項１から１１のいずれか１項に記載の定着装置。
【請求項１３】
前記センサはサーミスタであることを特徴とする請求項１２に記載の定着装置。
【請求項１４】
記録媒体に形成された現像剤像を前記ヒータが加熱することで、記録媒体に現像剤像を定着させることを特徴とする請求項１から１３のいずれか１項に記載の定着装置。
【請求項１５】
請求項１から１４のいずれか１項に記載の定着装置を有し、
前記定着装置によって、記録媒体に形成された現像剤像が加熱され、記録媒体に現像剤像が定着することで、記録媒体に画像を形成することを特徴とする画像形成装置。
【発明の詳細な説明】
【技術分野】
【０００１】
本発明は、記録材上の現像剤像を記録材に定着させる定着装置と、現像剤を用いて記録媒体に画像を形成する画像形成装置に関するものである。
【背景技術】
【０００２】
複写機やレーザビームプリンタ等の電子写真方式の画像形成装置では、まず、帯電ローラによって感光ドラムが帯電し、帯電した感光ドラムが露光装置によって露光されることで、感光ドラムに静電潜像が形成される。感光ドラムに形成された静電潜像は、現像ローラによってトナー像として現像される。そして、感光ドラムに形成されたトナー像は、転写ローラによって、用紙等の記録材に転写される。また、記録材に転写されたトナー像は、定着装置によって加熱・加圧されることで記録材に定着する。このようにして、記録材に画像が形成される。
【０００３】
ここで、定着装置には、記録材を加熱するためのヒータと、ヒータの温度を測定するためのサーミスタとが設けられていることがある。ヒータには発熱パターン（金属製の抵抗）が形成されており、発熱パターンに電流が流れ、発熱パターンが発熱することによりヒータが加熱される。また、サーミスタの抵抗値はその温度によって変化するため、サーミスタの抵抗値を測定することでヒータの温度が測定される。
【０００４】
また、従来では、発熱パターンで消費される電力が大きいため、発熱パターンは、一次側回路から供給された電力によって発熱していた。一方、サーミスタは、二次側回路と電気的に接続されていた。そして、発熱パターンが一次側回路に接続されており、サーミスタが二次側回路に接続されていたため、発熱パターンとサーミスタとの間に十分な絶縁距離を設ける必要があった。一次側回路に接続された発熱パターンと、二次側回路に接続されたサーミスタとが電気的に接続されてしまうとショート（短絡）が発生してしまうからである。このように、発熱パターンとサーミスタとの間に十分な絶縁距離を設ける必要がある場合、定着装置のサイズが大型化することで、画像形成装置も大型化してしまっていた。
【０００５】
そこで、特許文献１に開示される技術では、ヒータとサーミスタとがいずれも一次側回路に接続されることで、ショートが生じてしまうおそれを解消し、ヒータとサーミスタとを互いに近くに配置することができる。それにより、定着装置が小型化され、画像形成装置全体を小型化することができる。具体的には、特許文献１に開示される技術では、定着装置には、ヒータと、サーミスタと、サーミスタの温度を所定の信号に変換する変換手段と、変換手段によって変換された信号を電気パルス信号に変換するフォトカプラとが設けられている。また、定着装置には、フォトカプラが変換した電気パルス信号に応じて一次側回路からヒータへ電力の供給／遮断を切り替える切り替え手段が設けられている。
【０００６】
ヒータとサーミスタと変換手段は一次側回路によって駆動されており、切り替え手段は二次側回路によって駆動されている。そして、変換手段が変換した所定の信号（サーミスタの温度についての信号）がフォトカプラによって電気パルス信号に変換され、その電気パルス信号に応じてヒータに対して電力が供給／遮断される。特許文献１に開示される技術では、フォトカプラは、変換手段（一次側回路によって）と切り替え手段とが絶縁されている状態で、変換手段から切り替え手段に信号を送ることができる。そのため、ショート（短絡）が生じることなく、変換手段から切り替え手段に信号を送ることができる。また、サーミスタとヒータとはともに一次側回路から電力の供給を受けており、サーミスタとヒータとが近くに配置されていても、一次側回路と二次側回路とが電気的に接続される
おそれ（ショートが生じるおそれ）がない。
【先行技術文献】
【特許文献】
【０００７】
【特許文献１】特開平１１−３４４８８２号公報
【発明の概要】
【発明が解決しようとする課題】
【０００８】
しかし、特許文献１には、ヒータの温度が閾値を超えた場合、または、画像形成装置が省電力モードに切り替わった場合に、商用電源から変換手段への電力供給を遮断することについては開示されていない。そのため、特許文献１に開示される技術では、ヒータの温度が閾値を超えた場合等に、商用電源から変換手段への電力供給が遮断されず、変換手段において電力が消費されてしまう。
【０００９】
ここで、ヒータの温度が閾値を超えた場合等に商用電源からヒータおよび変換手段への電力供給を遮断する技術を、特許文献１に開示される技術に採用した仮想技術について考える。その仮想技術を採用するためには、ヒータへの電力供給を遮断する部材と変換手段とにＣＰＵからそれぞれ別々の信号を送る必要があると考えられる。そのため、ＣＰＵ制御ポート（ＣＰＵの入出力ポート）やトランジスタ等を新たに追加する必要があり、その場合、定着装置の製造コストが高くなってしまう。
【００１０】
そこで、本発明は、定着装置の製造コストを低減するとともに、定着装置における消費電力を低減することを目的とする。
【課題を解決するための手段】
【００１１】
上記目的を達成するために、本発明である定着装置は、
１次側回路から受けた電力を変成して２次側回路に送る変圧器と、
前記１次側回路から電力が供給されることで発熱するためのヒータと、
前記１次側回路から電力が供給されることで作動し、前記ヒータから伝わった熱に基づいて前記ヒータの温度を取得する温度取得部と、
前記２次側回路から電力が供給されることで作動する制御部と、
電力が供給されることで、前記１次側回路から前記ヒータへの電力供給を許容または遮断する第１スイッチ手段と、
電力が供給されることで、前記１次側回路から前記温度取得部への電力供給を許容または遮断する第２スイッチ手段と、を有し、
前記温度取得部で取得された前記ヒータの温度に応じて、前記ヒータへの電力供給を許容または遮断することが可能な定着装置において、
前記制御部は、前記第１スイッチ手段と前記第２スイッチ手段の動作を１つの信号によって制御することで、前記１次側回路から前記ヒータへの電力供給と、前記１次側回路から前記温度取得部への電力供給とを遮断することを特徴とする。
【００１２】
また、上記目的を達成するために、本発明である画像形成装置は、
上記定着装置を有し、
前記定着装置によって、記録媒体に形成された現像剤像が加熱され、記録媒体に現像剤像が定着することで、記録媒体に画像を形成することを特徴とする。
【発明の効果】
【００１３】
本発明は、定着装置の製造コストを低減するとともに、定着装置における消費電力を低減することができる。
【図面の簡単な説明】
【００１４】
【図１】実施例１に係る画像形成装置の構成を示す図
【図２】実施例１に係る加熱定着装置の構成を示す図
【図３】実施例１に係る加熱定着装置を示す回路図
【図４】シュミット回路における矩形波と積分器における三角波の波形例を示す図
【図５】実施例１に係るコンパレータの出力電圧を示す図
【図６】実施例２に係る加熱定着装置を示す回路図
【発明を実施するための形態】
【００１５】
（実施例１）
以下に図面を参照して本発明の実施形態を例示する。ただし、実施形態に記載されている構成部品の寸法や材質や形状やそれらの相対配置等は、発明が適用される装置の構成や各種条件等により適宜変更されるべきものであり、この発明の範囲を以下の実施形態に限定する趣旨ではない。
【００１６】
＜画像形成装置１００の説明＞
図１は、本実施例に係る画像形成装置１００の構成を示す図である。イエロー（Ｙ）、マゼンダ（Ｍ）、シアン（Ｃ）、ブラック（Ｋ）の各色において、感光ドラム１２１〜１２４上にはそれぞれ単色のトナー像（現像剤像に対応する）が形成される。これら４色のトナー像が中間転写体１２５上に重ね合わさることで、多色トナー像が中間転写体１２５上に形成される。
【００１７】
一方、給紙部１１１から給紙ローラ１１２によって給紙された画像記録紙Ｐ（記録媒体に対応する）は、搬送路Ｈに沿って搬送され、中間転写体１２５上に形成された多色トナー像とともに、中間転写体１２５と転写ローラ１１３とに挟み込まれて加圧される。転写ローラ１１３には転写バイアス発生装置１１４から正バイアスが印加されているため、負に帯電された多色トナー像が画像記録紙Ｐに転写される。その後、画像記録紙Ｐ上の多色トナー像は、加熱定着装置１３０によって画像記録紙Ｐに定着する。そして、多色トナー像が定着した画像記録紙Ｐは最後に排出トレイ１１５に排出される。
【００１８】
＜加熱定着装置１３０の概要＞
次に、図２を用いて、加熱定着装置１３０についての説明を行う。図２は、本実施例に係る加熱定着装置１３０の構成を示す図である。ヒータ２０４は、セラミックを材料とするヒータである。ヒータ２０４上には発熱体パターン２０５が形成されており、ヒータ２０４は、ガラス等の絶縁層２０６によって被覆されている。また、絶縁層２０６は、ヒータ２０４から画像記録紙Ｐに効率良く熱が伝導するように極力薄いことが望ましい。
【００１９】
一般的に、発熱体パターン２０５は、トライアック等のスイッチング素子やリレー等のメカニカルスイッチ素子等を介して商用電源に接続されている。そして、スイッチング素子のＯＮ／ＯＦＦをコントロールすることで、商用電源から発熱体パターン２０５に電力供給を行っている。このスイッチング素子のＯＮ／ＯＦＦのコントロールは、ヒータ２０４の近傍に配置された（例えば、ヒータ２０４の裏面に所定の圧力で押し当てられた）サーミスタ２０７（センサに対応する）の抵抗値に基づいて行なわれる。ここで、サーミスタ２０７の抵抗値は、サーミスタ２０７の温度によって変化する。そこで、本実施例では、サーミスタ２０７の抵抗値からサーミスタ２０７の温度を測定している。
【００２０】
また、ヒータホルダ２０３は、ヒータ２０４を固定・支持するためのホルダであり、耐熱性・断熱性を有する材料から形成されている。金属ステー２１１は、加熱定着装置１３０に剛性を付与するための部材である。定着フィルム２０１は、円筒状の耐熱性フィルム材であり、ヒータ２０４やヒータホルダ２０３等を覆うように配置されている。また、定
着フィルム２０１としては、単層のフィルムや、ＰＩ＋ＰＦＡコーティングやＳＵＳ＋ゴムコーティング等が施された複合フィルム等が用いられ、定着フィルム２０１の内周面は導電性が高くなっている。
【００２１】
加圧ローラ２０８は、弾性を有するローラであり、金属パイプ２０９の外周に、シリコーンゴム等の耐熱性弾性層２１０をローラ状に設けることで形成される。そして、この加圧ローラ２０８は、定着フィルム２０１を介してヒータ２０４を押圧し、定着駆動モータ（非図示）により矢印Ｂの方向に所定の周速度で回転駆動される。この加圧ローラ２０８の回転駆動と、加圧ローラ２０８の外周面と定着フィルム２０１の外周面との摩擦力とによって、加圧ローラ２０８が定着フィルム２０１を回転させる。このとき、定着フィルム２０１は、絶縁層２０６と摺動しながら矢印Ｃの方向に回転する。ここで、ヒータホルダ２０３は、定着フィルム２０１の内周面をガイドする役割も果たしており、これにより、定着フィルム２０１が容易に回転することができる。
【００２２】
加圧ローラ２０８の回転によって定着フィルム２０１の回転も定常化して、ヒータ２０４の温度が所定の温度に立ち上がった状態において、多色トナー像が転写された画像記録紙Ｐが、定着フィルム２０１と加圧ローラ２０８とのニップ部に搬送される。ここで、図２に示すように、画像記録紙Ｐは、矢印Ａ方向に向かって搬送される。そして、搬送された画像記録紙Ｐは、加圧ローラ２０８によって、ヒータ２０４に向かって定着フィルム２０１と共に加圧される。これにより、ヒータ２０４の熱が定着フィルム２０１を介して画像記録紙Ｐに伝わり、多色トナー像が画像記録紙Ｐに定着する。
【００２３】
＜加熱定着装置１３０を構成する回路＞
図３は、本実施例に係る加熱定着装置１３０を示す回路図である。図３に示すように、商用電源１１、コモンモードチョークコイル１４、ダイオードブリッジ１２、平滑コンデンサ１３、変圧器としてのトランス２４、ＦＥＴ２３、コントロール回路２２、および、フォトカプラ２７等が電源回路を構成する。加熱定着装置１３０の電源回路において、２次側回路では、整流ダイオード３１とコンデンサ３２により２次側電源Ｖｃｃ２が出力される。２次側電源Ｖｃｃ２は、画像形成装置１００に設けられたモータ等の負荷８０に電力を供給する。また、２次側電源Ｖｃｃ２から流れる電流は、エラーアンプであるＡＭＰ２９によって変化させられた後フォトカプラ２７に流れる。ＡＭＰ２９は、ＡＭＰ２９に流れる電流値を変化させるようなフィードバックループを構成している。なお、トランス２４は、１次側回路から受けた電力を変成して２次側回路に送る変圧器である。
【００２４】
一方、商用電源１１は、トライアック３００を介してヒータ２０４に電力を供給する。また、トライアック３００は、２次側回路に接続された制御部としてのＣＰＵ５に抵抗３０３を介して接続されるトランジスタ３０４に、フォトトライアックカプラ３０２を介して接続される。ＣＰＵ５は、２種類の信号Ｈｉ・Ｌｏに応じて、制限抵抗３０５を通じて、フォトトライアックカプラ３０２のダイオード側に電流を流す。これにより、ＣＰＵ５は、フォトトライアックカプラ３０２の動作を制御し、商用電源１１からヒータ２０４への電力の供給／遮断を切り替える。ここで、本実施例では、温度取得部としてのサーミスタ回路ブロック３３０で取得されたヒータ２０４の温度に応じて、ＣＰＵ５がフォトトライアックカプラ３０２の動作を制御することで、商用電源１１からヒータ２０４への電力供給を許容または遮断する。
【００２５】
また、加熱定着装置１３０において、ヒータ２０４の近傍には、サーミスタ２０７と、ヒータ２０４が異常に発熱した際にヒータ２０４への通電を遮断するための温度保護素子３０１とが配置されている。また、加熱定着装置１３０には、サーミスタ２０７の温度に関する情報に基づいて、ＣＰＵ５からの制御信号によってヒータ２０４への通電を遮断するリレー３０６（第１スイッチ手段に対応する）が設けられている。リレー３０６は、抵
抗３０９およびトランジスタ３０８（第３スイッチ手段に対応する）を介してＣＰＵ５に接続される。そして、ＣＰＵ５は、２種類の信号Ｈｉ・Ｌｏに応じて、制限抵抗３０７を介して、リレー３０６内部のコイルに電流を流すことで、リレー３０６への電力の供給／遮断を制御する。ここで、本実施例では、後ほど詳細に説明するフォトカプラ３９（第２スイッチ手段に対応する）がリレー３０６に直列に接続される。なお、本実施例において、リレー３０６とフォトカプラ３９とトランジスタ３０８は、２次側回路から電力が供給されることで作動する。
【００２６】
＜サーミスタ回路ブロック３３０＞
次に、サーミスタ回路ブロック３３０とその周辺に配置された回路について説明する。本実施例では、ヒータ２０４とサーミスタ２０７と温度保護素子３０１がいずれもトランス２４の１次側回路に配置されている。これにより、加熱定着装置１３０内に、２次側回路に接続された部品が配置されないことになる。そのため、ヒータ２０４とサーミスタ２０７と温度保護素子３０１が互いに近い位置に配置されていたとしても、加熱定着装置１３０内において、１次側回路と２次側回路とが接続されてしまうこと（短絡が生じてしまうこと）を抑制することができる。さらに、ヒータ２０４とサーミスタ２０７と温度保護素子３０１との間に安全上の距離を設ける必要がなく、ヒータ２０４とサーミスタ２０７と温度保護素子３０１とを互いに近い位置に配置することができるため、加熱定着装置１３０を小型化することができる。
【００２７】
サーミスタ回路ブロック３３０には、トランス２４の補助巻き線Ｎｂから電圧が供給される。また、補助巻き線Ｎｂには、２次側電源Ｖｃｃ２と同様に、ＦＥＴ２３のスイッチングに伴い、整流ダイオード２５とコンデンサ２６とによって１次側電源Ｖｃｃ１が発生する。そして、この１次側電源Ｖｃｃ１からの電力をサーミスタ回路ブロック３３０に供給／遮断する制御を、ＣＰＵ５が、抵抗３０９およびトランジスタ３０８を介してフォトカプラ３９の動作を制御することによって行う。また、サーミスタ２０７の検知信号は、サーミスタ回路ブロック３３０において、後述するＰＷＭ信号に変換され、伝達部としてのフォトカプラ３４７を介してＣＰＵ５へフィードバックされる。
【００２８】
＜サーミスタ２０７の検知信号のＰＷＭ変換＞
サーミスタ回路ブロック３３０は、主に、三角波発生部３３１と、三角波とサーミスタ２０７電圧とを比較するコンパレータ３３２とから構成される。三角波発生部３３１では、オペアンプ３３３と抵抗３３４と抵抗３３５とが、シュミット回路を形成することで矩形波Ｖ１を生成する。また、オペアンプ３３８と抵抗３３６とコンデンサ３３７とが、積分器を形成することで三角波Ｖ２を生成する。
【００２９】
ここで、図４は、シュミット回路で生成された矩形波Ｖ１と、積分器で生成された三角波Ｖ２の波形例を示す図である。三角波Ｖ２のピーク電圧を電圧Ｖ３とする。また、オペアンプ３３３とオペアンプ３３８の基準電圧には、レギュレート回路ＲＥＧ２において高精度化された電圧を使用する。三角波Ｖ２はコンパレータ３３２に入力され、三角波Ｖ２は、ダイオード３４０とコンデンサ３４１とで整流された電圧Ｖ３によってボルテージフォロワとして機能するオペアンプ３４２に入力される。また、サーミスタ２０７の電圧は、抵抗３４３によって電圧Ｖ４に分圧される。そして、電圧Ｖ３と電圧Ｖ４とがコンパレータ３３２によって比較される。ここで、電圧が電圧Ｖ３である部分は、抵抗３４４を介してコンパレータ３３２に接続され、トランジスタ３４６およびフォトカプラ３４７に抵抗３４５を介して接続される。ここで、サーミスタ２０７の特性として、サーミスタ２０７の抵抗は、サーミスタ２０７の温度が上がると下がり、サーミスタ２０７の温度が下がると上がる。そのため、サーミスタ２０７の温度が上がると電圧Ｖ４が下がり、サーミスタ２０７の温度が下がると電圧Ｖ４が上がる。
【００３０】
図５は、サーミスタ２０７の温度が高い場合と、サーミスタ２０７の温度が低い場合におけるコンパレータ３３２の出力電圧Ｖ５を示す図である。三角波Ｖ２に対して電圧Ｖ４が低い場合（サーミスタ２０７の温度が高い場合）は、電圧Ｖ５のオンＤＵＴＹが大きくなる。一方、三角波Ｖ２に対して電圧Ｖ４が高い場合（サーミスタ２０７の温度が低い場合）は、電圧Ｖ５のオンＤＵＴＹが小さくなる。
【００３１】
ここで、本実施例では、フォトカプラ３４７を用いて、１次側回路に接続されるコンパレータ３３２から、２次側回路に接続されるＣＰＵ５に信号が伝達される。具体的には、コンパレータ３３２が出力した電圧Ｖ５は、パルス幅を有するパルス信号にフォトカプラ３４７によって変換されることで電圧Ｖ６としてＣＰＵ５に伝達される。フォトカプラ３４７は、２次側回路に接続されたＣＰＵ５と、１次側回路に接続されたコンパレータ３３２とを絶縁させた状態で、コンパレータ３３２の出力信号（出力電圧Ｖ５）をＣＰＵ５に伝達することができる。また、本実施例では、トランジスタ３４６を用いることで電圧Ｖ５と電圧Ｖ６のＨｉ・Ｌｏ論理が同じになっている。なお、電圧Ｖｃｃ３である部分は２次側回路であり、電圧Ｖｃｃ３は、ＤＣ／ＤＣコンバータ（不図示）等によって２次側電源Ｖｃｃ２から生成される。このようにして、サーミスタ２０７の温度はコンパレータ３３２によって電圧Ｖ５として出力され、出力された電圧Ｖ５は電圧Ｖ６としてＣＰＵ５にフィードバックされることになる。
【００３２】
＜リレー３０６およびフォトカプラ３９の動作制御について＞
本実施例では、上述したように、フォトカプラ３９とリレー３０６とが直列に接続され、ＣＰＵ５からの１つの信号でトランジスタ３０８の動作が制御されている。具体的には、本実施例では、トランジスタ３０８は、抵抗３０９を介してＣＰＵ５と接続されている。また、フォトカプラ３９とリレー３０６と制限抵抗３０７は、トランジスタ３０８に対して直列に接続されている。これにより、リレー３０６およびフォトカプラ３９のオン／オフが同時に制御されている。つまり、本実施例では、フォトカプラ３９とリレー３０６の動作をＣＰＵ５が１つの信号によって制御することで、商用電源１１からヒータ２０４への電力供給と、商用電源１１からサーミスタ回路ブロック３３０への電力供給とを遮断している。
【００３３】
フォトカプラ３９とリレー３０６とがＣＰＵ５に対してこのように接続されることで、リレー３０６をオンしたときにのみ、１次側電源Ｖｃｃ１からサーミスタ回路ブロック３３０に電力が供給されることになる。これにより、加熱定着装置１３０において省電力化を図っている。また、サーミスタ回路ブロック３３０への電源供給が行われず、サーミスタ２０７の温度が検知されないときには、リレー３０６がオフとなりヒータ２０４への通電も遮断されるため、加熱定着装置１３０の安全性が高くなる。また、本実施例では、ＣＰＵ５からの１つの信号でトランジスタ３０８の動作が制御されることで、リレー３０６およびフォトカプラ３９のオン／オフが同時に制御されているため、ＣＰＵ５のポート数を削減することが可能となる。
【００３４】
以上のように、本実施例では、フォトカプラ３９およびリレー３０６の動作をＣＰＵ５が１つの信号によって制御することで、１次側回路からヒータ２０４への電力供給と、１次側回路からサーミスタ回路ブロック３３０への電力供給とを遮断している。これにより、ＣＰＵ制御ポートやトランジスタなどの部品を追加することなく、商用電源１１からサーミスタ回路ブロック３３０およびヒータ２０４への電力供給を遮断することができる。
【００３５】
（実施例２）
図６は、実施例２に係る加熱定着装置１３０を示す回路図である。ここで、本実施例において、実施例１と同一の機能を有する部分については、同一の符号を付すことでその説明を省略する。本実施例では、実施例１とは異なり、ＣＰＵ５からの１つの信号で、リレ
ー３０６およびフォトカプラ３９の動作を制御するだけでなく、ＣＰＵ５からの１つの信号で、スイッチ手段制御部としての異常高温検知ブロック４１０の動作も制御している。具体的には、本実施例では、リレー３０６への電力供給をオン／オフするトランジスタ３０８と、フォトカプラ３９への電力供給をオン／オフするトランジスタ４０５とを、ＣＰＵ５からの１つの信号で制御している。さらに、本実施例では、異常高温検知ブロック４１０は、ＣＰＵ５からの信号によらず作動している。つまり、本実施例では、リレー３０６およびフォトカプラ３９の動作をＣＰＵ５が１つの信号によって制御することで、１次側回路からヒータ２０４への電力供給と、１次側回路からサーミスタ回路ブロック３３０への電力供給とを遮断している。
【００３６】
異常高温検知ブロック４１０は、サーミスタ回路ブロック３３０で出力された電圧Ｖ６が、抵抗４１１とコンデンサ４１２とによって整流されることで生成された電圧Ｖ７をモニタする。そして、この電圧Ｖ７が、異常高温として設定された電圧Ｖ８を下回ったときに、コンパレータ４０１がオフとなる。これにより、トランジスタ３０８がオフとなることで、リレー３０６への電力供給が遮断される。
【００３７】
そのため、仮に、ＣＰＵ５のファームウェアに異常が生じて、ヒータ２０４の温度が異常に高くなった場合であっても、ＣＰＵ５によらず、リレー３０６への電力供給を遮断し、ヒータ２０４への電力供給を遮断することができる。つまり、本実施例では、ＣＰＵ５のファームウェアに異常があった場合でも、温度保護素子３０１によってヒータ２０４への電力供給が遮断される前に、異常高温検知ブロック４１０がヒータ２０４への電力供給を遮断することができる。
【００３８】
ここで、本実施例では、実施例１とは異なり、トランジスタ３０８がオフになると同時にサーミスタ回路ブロック３３０の電源が切れないように、リレー３０６および異常高温検知ブロック４１０とフォトカプラ３９とがＣＰＵ５に対して並列に接続されている。そのため、本実施例では、フォトカプラ３９への電力供給をオン／オフするためにトランジスタ４０５を追加している。つまり、本実施例では、実施例１とは異なり、ＣＰＵ５の１つの信号に対してトランジスタを２つ使用している。
【００３９】
以上のように、本実施例では、ＣＰＵ制御ポートを追加することなく、商用電源１１からサーミスタ回路ブロック３３０およびヒータ２０４への電力供給を遮断することができる。
また、本実施例では、上述したように、ＣＰＵ５のファームウェアに異常があった場合でも、温度保護素子３０１によってヒータ２０４への電力供給が遮断される前に、異常高温検知ブロック４１０がヒータ２０４への電力供給を遮断することができる。
【００４０】
なお、各実施例において、サーミスタ回路ブロック３３０およびヒータ２０４への電力供給を許容・遮断するスイッチ手段は、必ずしも、スイッチ手段に電力が供給されることでオンにならなくてもよい。例えば、サーミスタ回路ブロック３３０およびヒータ２０４への電力供給を許容・遮断するスイッチ手段は、スイッチ手段に電力が供給されることでオフになってもよい。
【００４１】
また、各実施例において、サーミスタ回路ブロック３３０およびヒータ２０４への電力供給を許容・遮断するスイッチ手段は、必ずしも、リレーまたはフォトカプラでなくてもよい。サーミスタ回路ブロック３３０およびヒータ２０４への電力供給をＣＰＵ５からの信号によって許容・遮断するスイッチ手段であれば、スイッチ手段の構成は特に限定されない。
【符号の説明】
【００４２】
５…ＣＰＵ、２４…トランス、３９…フォトカプラ、１３０…加熱定着装置、
２０４…ヒータ、３０６…リレー、３３０…サーミスタ回路ブロック３３０
【図１】
2018072421.tif 000003
【図２】
2018072421.tif 000004
【図３】
2018072421.tif 000005
【図４】
2018072421.tif 000006
【図５】
2018072421.tif 000007
【図６】
2018072421.tif 000008